(57)【要約】【課題】  ハウス内の送風機の取付けは、梁に設けた取付金具とＵボルトを介して行う。送風機は、薬液散布、ビニールフィルムの張替え、夏場のビニールフィルムの取外し等の作業時には、取外して行うことが習慣である。取外し、取付けが、一人でできる構造ではなく、改良すべきである。また、風の吐出方向の上下機能（俯角調整機能）を備えているが、回転位置を変更できる機能を備えていないので、十分ではない。【解決手段】  本発明は、ハウスの梁に取付けた設置金具と、設置金具の支持部を利用して送風機に設けたブラケットを支持する送風機の取付装置で、設置金具には、送風機の俯角を調整する俯角調整手段を設けるとともに、支持部と、ブラケットには、送風機の回転（旋回）位置を固定、又は固定解除する回転位置調整手段を設ける送風機の取付装置である。一人で、送風機を、梁に支持できる。また、ファンの俯角調整と、回転位置調製が、簡単にできる。【選択図】      図１
2015040484.tif 000002
【特許請求の範囲】
【請求項１】
ハウスの取付材に取付けた設置金具と、この設置金具に備えた支持部を利用して送風機に設けたブラケットを支持する送風機の取付装置であり、
前記設置金具には、前記送風機の俯角を調整する俯角調整手段を設けるとともに、前記支持部と、このブラケットには、前記送風機の回転（旋回）位置を固定、又は固定解除する回転位置調整手段を設ける構成とした送風機の取付装置。
【請求項２】
前記俯角調整手段は、設置金具を形成する基台ベースと、この基台ベースに組付ける本体ベースと、前記基台ベースの両端に設けた第１、第２脚部と、この第１、第２脚部に添接する前記本体ベースの両端に設けた第３、第４脚部とを備え、この第２脚部と、当該第４脚部の添接長さを調節し、前記基台ベースの俯角（傾斜）角度を可変する構成とした請求項１に記載の送風機の取付装置。
【請求項３】
前記第１、第２脚部に、前記第３、第４脚部を添接するとともに、第１脚部と、前記第３脚部とを枢着し、またこの第２脚部と、この第４脚部とを枢着するとともに、この第４脚部が、この枢着位置を基点として上下動可能とする構成とした請求項２に記載の送風機の取付装置。
【請求項４】
前記基台ベースの板部に、前記取付材に取付けた固定具の両端螺子部を差込できる対の孔を開設し、この螺子部に螺着したナット、又はボルトでなる止め具で、この固定具を前記取付材に緊締し、前記基台ベースを、この取付材に固止する構成とした請求項２に記載の送風機の取付装置。
【請求項５】
前記回転位置調整手段は、前記支持部に設けた螺子部に、ナットを緊締した構成であり、かつこの回転固定位置調整手段の緊締を介して、前記ブラケットを、基台ベースに固定するとともに、この回転固定位置調整手段の緊締解除を介して、前記ブラケットを、前記基台ベースに回転可能とする構成とした請求項１に記載の送風機の取付装置。
【請求項６】
前記回転位置調整手段は、前記ブラケットに設けた孔と、前記支持部に設けた螺子部と、この螺子部に螺着するナット、又は螺子部に螺合するボルトとする構成とした請求項１に記載の送風機の取付装置。
【発明の詳細な説明】
【技術分野】
【０００１】
本発明は、ハウス内に設置する送風機（循環扇、又は換気扇）の取付装置に関する。
【背景技術】
【０００２】
ハウス内の送風機と、それによる循環風は、作物の生育促進、品質向上、又は薬液散布後の効率化等を図るため必須な設備であり、多くのハウスで採用されている。この送風機の取付けは、通常、梁に、取付金具（取付用ブラケット、又は枠体、吊下金具）を設け、この取付金具と止め具（Ｕボルト、ボルト）とを介して行う。従って、風の吐出方向（吹出方向）の上下機能（俯角調整機能）を備えている。しかし、この俯角調整機能を備えた取付装置（従来の取付装置）では、フアンの風を、ハウスの隅々まで送り、また、棟方向の遠くまで送るには、十分とは云えないと考える。また、ハウス内の薬液散布、ハウスのビニールフィルムの張替え、或いは夏場のビニールフィルムの取外し等の作業時においては、送風機を、一度、取外して、行うことが習慣である。そのためには、この取外し、その後の取付けにおいて、一人で作業ができる構造とは考えられない。
【０００３】
前記従来の取付装置の改良と、取付け・取外しを一人で行える取付装置に関して、改良が望まれていることから、先行文献より検討する。例えば、特開２００６−４６８１８号公報に記載された、換気扇の固定金具は、ハウスのパイプ（梁）に、基台ベースを取付け、基台ベースに設けた取付金具支柱（固定支柱）に、支持支柱（回転可能な支柱）を対峙して設け、固定支柱と支持支柱とを支柱固定金具で固定、かつ固定解放可能に支持する構造とすることで、ファンを、３６０度無段階で回転可能とする。しかしながら、この発明は、俯角調整機構を備えていないことから問題があると考える。また、作物に最適な風を与え、かつハウスの隅々まで送り、また、棟方向の遠くまで送るには、十分とは云えないと考える。また、送風機を一人で持上げ、固定金具に、差込み、又は引掛け等で一時的に、支持する構造でなく、不可能であり、取付け作業に困ることが考えられる。
【０００４】
【特許文献１】特開２００６−４６８１８号公報
【発明の概要】
【発明が解決しようとする課題】
【０００５】
上記に鑑み、本発明は、取付材（梁パイプ、梁角材等）に取付けた設置金具の支持部を利用し、送風機に設けたブラケットを固定する送風機の取付装置であり、一人で、送風機を、最初に支持（差込み、又は引掛け等で一時的に、支持）し、その後に、取付け（設置）と、取外し（設置解除）ができる構造を提案する。また、設置金具には、送風機の俯角を調整する俯角調整手段を設けるとともに、支持部と、ブラケットには、送風機の回転（旋回）位置を固定、又は固定解除する回転位置調整手段を設ける構成とし、フアンの風を、ハウスの隅々まで送り、また、棟方向の遠くまで送る。これにより、作物の生育促進、品質向上、又は薬液効率化等を意図する。さらに、送風機を取外す際には、設置金具を、取付材に残し、その目的を達成できる構造を提案する。また、前記俯角調整手段、及び／又は、回転位置調整手段を利用して、送風機（ファン）の風方向を、例えば、梁を基点として、上下方向、及び／又は、左右方向に調整ができる構造を提案する。
【課題を解決するための手段】
【０００６】
本発明の目的を達成するために、請求項１〜請求項６を提供する。
【発明の効果】
【０００７】
請求項１の発明は、ハウスの取付材に取付けた設置金具と、設置金具に備えた支持部を利用して送風機に設けたブラケットを支持する送風機の取付装置であり、
設置金具には、送風機の俯角を調整する俯角調整手段を設けるとともに、支持部と、ブラケットには、送風機の回転（旋回）位置を固定、又は固定解除する回転位置調整手段を設ける構成とした送風機の取付装置である。
【０００８】
従って、請求項１では、：イ  取付材に取付けた設置金具の支持部と、送風機に設けたブラケットとを固定する送風機の取付装置であり、一人で、送風機を、最初に支持し、その後に、取付け（設置）と、取外し（設置解除）ができる。：ロ  設置金具には、俯角調整手段を設けるとともに、支持部と、ブラケットには、送風機の回転位置を固定、又は固定解除する回転位置調整手段を設ける構成とし、フアンの風を、ハウスの隅々まで送り、また、棟方向の遠くまで送り得ることと、或いは、循環風の生成によって、作物の生育促進、品質向上、又は薬液散布後の効率化（必要により）等が図れる。：ハ  送風機を取外す際に、設置金具を、取付材に残し、その目的を達成できる。：ニ  俯角調整手段、及び／又は、回転位置調整手段を利用して、送風機（ファン）の風方向を、例えば、梁を基点として、上下方向、及び／又は、左右方向に調整ができる。：ホ  ハウスの特有の状況、例えば、ハウスの躯体／梁、又はビニールフィルム等が、地形に基づいて、真直ぐでない場合（曲がったり、水平でない場合等）、経時的な要因で真直ぐでなくなった場合等においても、前記：イ〜：ニの特徴が達成できる。
【０００９】
請求項２の発明は、俯角調整手段は、設置金具を形成する基台ベースと、基台ベースに組付ける（差込み、嵌合等して組付ける）本体ベースと、基台ベースの両端に設けた第１、第２脚部と、第１、第２脚部に添接する本体ベースの両端に設けた第３、第４脚部と、第２脚部と、第４脚部の添接長さを調節し、基台ベースの俯角（傾斜）角度を可変する構成とした送風機の取付装置である。
【００１０】
従って、請求項２では、：イ〜：ホを達成するに最適となる設置金具の構造を提案できる。
【００１１】
請求項３の発明は、第１、第２脚部に、第３、第４脚部を添接するとともに、第１脚部と、第３脚部とを枢着し、また第２脚部と、第４脚部とを枢着するとともに、第４脚部が、枢着位置を基点として上下動可能とする構成とした送風機の取付装置である。
【００１２】
従って、請求項３では、：イ〜：ホを達成するに最適となる設置金具の各脚部の構造を提案できる。
【００１３】
請求項４の発明は、基台ベースの板部に、取付材に取付けた固定具の両端螺子部を差込できる対の孔を開設し、螺子部に螺着したナット、又はボルトでなる止め具で、固定具を取付材に緊締し、基台ベースを、取付材に固止する構成とした送風機の取付装置である。
【００１４】
従って、請求項４では、：イ〜：ホを達成するに最適となる設置金具の基台ベースの構造を提案できる。
【００１５】
請求項５の発明は、回転位置調整手段は、支持部に設けた螺子部に、ナットを緊締した構成であり、かつ回転固定位置調整手段の緊締を介して、ブラケットを、本体ベースに固定するとともに、回転固定位置調整手段の緊締解除を介して、ブラケットを、本体ベースに回転可能とする構成とした送風機の取付装置である。
【００１６】
従って、請求項５では、：イ〜：ホを達成するに最適となる回転位置調整手段の構造を提案できる。
【００１７】
請求項６の発明は、回転位置調整手段は、ブラケットの自由端部に設けた孔と、支持部に設けた螺子部と、螺子部に螺着するナット、又は螺子部に螺合するボルトとする構成とした送風機の取付装置である。
【００１８】
従って、請求項６では、：イ〜：ホを達成するに最適となる回転位置調整手段の緊締構造を提案できる。
【図面の簡単な説明】
【００１９】
【図１】ブラケットを備えた送風機と設置金具、並びに取付材（一例として梁で説明する）等を切離した状態の斜視図
【図２−１】図１の取付け状態の斜視図
【図２−２】図１のブラケットを備えた送風機と設置金具等の取付けた状態の斜視図
【図３】図２−１の側面斜視図
【図４】図３の状態において、その要部である送風機の一部と設置金具、並びに取付材等を拡大して示した斜視図
【図５−１】図１に示した送風機を梁に支持する支持部材の一例であるブラケット（支持材）等を拡大して示した分解斜視図
【図５−２】図１に示した設置金具の要部部品を拡大して示した分解斜視図
【図６】図１に示した設置金具と梁との取付け関係を拡大して示した分解斜視図
【図７】図１に示した送風機の正面図
【図８−１】図１に示した送風機の俯角調整を説明する側面図
【図８−２】図１に示した送風機の回転位置調整を説明する平面図
【発明を実施するための形態】
【００２０】
以下、本発明の好ましい一実施例を説明する。
【００２１】
１は送風機であり、この送風機１は、ドラム１００（風胴）の吹出側１ａに整流翼１０１を設けるとともに、その吸込側１ｂにはファン１０２と、このファン１０２をカバーし、かつ吸込側１ｂより突出したファンガード１０３と、ファンガード１０３に設けたモータ１０４とで構成する。ファン１０２を回転し、風を吸込側１ｂより吸込み、整流翼１０１を介して吹出側１ａより吹出す構造であり、例えば、フアン１０２の風（纏まった帯状の風として）を、ハウスの隅々まで送り、また、棟方向の遠くまで送り得ることと、或いは、循環風の生成によって、作物の生育促進、品質向上、又は薬液散布後の効率化等が図れる。
【００２２】
このドラム１００のベルマウス１００ａ近傍には、第１ブラケット２（支持材）を、止め具３を介して固定する（図１〜図２−２を参照）。また、ドラム１００のベルマウス１００ａ裏面には、第２ブラケット５（支持材）を、止め具６を介して固定する（図１〜図２−２を参照）。これにより、ベルマウス１００ａを跨ぐようにして、第１ブラケット２と第２ブラケット５を取付ける。この第１ブラケット２と第２ブラケット５の折れ曲り平坦部２ａ、５ａが、重なる構造とする（図４を参照）。この重なり部と、第１ブラケット２と第２ブラケット５によるベルマウス１００ａの挾持とを介して、送風機１を支持する構造である。即ち、平坦部２ａ、５ａの重なりで、第１ブラケット２と第２ブラケット５に掛かる送風機１の重さを担持しつつ、第１ブラケット２と第２ブラケット５の末広がりと、二点支持で、送風機１の重さを担持することで、送風機１を梁Ｈに、確実、かつ安定的に支持する。
【００２３】
１０は設置金具であり、図５−２に分解した斜視図が示されている。この設置金具１０は、例えば、略肘掛形態を呈する基台ベース１１と、この基台ベース１１に、例えば、差込む形態である（設置金具１０の補強と、薄肉化等を図る）本体ベース１２とで構成される。この基台ベース１１は、梁Ｈに跨る鉛直方向を向いた第１脚部１１００と、間隔を置いて設けた第２脚部１１０１と、この第１脚部１１００と第２脚部１１０１とに繋がり、かつ梁Ｈ方向に水平となった第１板部１１０２と第２板部１１０３と、この第１脚部１１００と第２脚部１１０１とを繋ぐ差渡し部１１０４とで構成する。そして、第１脚部１１００と第２脚部１１０１には、それぞれ枢着用の孔１３、１３と、俯角調整用の曲面形状の長孔１４、１４が開設されている。また、第１板部１１０２と第２板部１１０３とには、梁Ｈを下方（下側）より跨ぐＵボルト１５、１５を差込む対の孔１６、１６が、それぞれ開設されている。従って、梁Ｈに、第１脚部１１００と第２脚部１１０１のそれぞれの脚部隙間を渡し込み、続いて、Ｕボルト１５（取付け具の一例）を、梁Ｈの下方より跨がせ、このＵボルト１５の自由端を、第１板部１１０２と第２板部１１０３の各孔１６差込み、かつそれぞれナット１８を螺子止めすることで、この基台ベース１１が、梁Ｈに固定される（取付けられる）。また、本体ベース１２は、平板本体１２００と、この平板本体１２００の左右端（図５−２参照）に設けた梁Ｈに跨る鉛直方向を向いた第３脚部１２０１と、間隔を置いて設けた第４脚部１２０２と、この第３脚部１２０１と第４脚部１２０２には、それぞれ対の孔１７、１７が開設されている。尚、平板本体１２００の中心には、筒状の支持部１９（第１、第２ブラケット２、５の回転を容易とする）を立設する。前述の如く、第１〜第４脚部１１００、１１０１と、１２０１、１２０２の両脚で、かつ対で梁Ｈを抱持する（跨ぐ、又は跨る）ので、設置金具１０の設置時・俯角調整時等の容易化と、ズレ防止、安定設置等が図れる。
【００２４】
図中２１は支持部１９の螺子部（図示しない）に螺着され、かつ送風機１の回転位置を固定、又は固定解除（回転位置の変更）を図るナット（ノブナット）である。図１に取外した斜視図が示されている。このナット２１は、後述する第１ブラケット２と第２ブラケット５の平坦部２ａ、５ａ等に開設した係止孔２２、２３を、支持部１９に差込み係止した状態で、締付ける。この締付けにより、第１ブラケット２と第２ブラケット５が、設置金具１０に緊締（固定）されるとともに、送風機１が、設置金具１０と梁Ｈに固定される。例えば、図２−１の状態である。尚、前記ナット２１に替えて、螺子部に螺合するボルトでもよい。このようにナット２１、又はボルトであっても、支持部１９に、第１、第２ブラケット２、５を、固定できる固定具であれば何れでも可能である。ナット２１はボルト等の止め具でもよい。
【００２５】
以下、設置金具１０、及び送風機１を梁Ｈに取付ける（設ける）準備と、その方法と、俯角調整、又は回転位置調整に関して説明する。
【００２６】
準備として、基台ベース１１に本体ベース１２を組付ける。基台ベース１１の第１板部１１０２と、第２板部１１０３との隙間に、本体ベース１２の第３脚部１２０１と第４脚部１２０２を差入れ、この第３脚部１２０１と第４脚部１２０２を、基台ベース１１の第１脚部１１００と第２脚部１１０１に添接する。添接で、第１脚部１１００と第２脚部１１０１に開設した孔１３と長孔１４に、第３脚部１２０１と第４脚部１２０２に開設した対の孔１７が、それぞれ合致する（重なる）。合致したそれぞれの孔（合致孔の符号なし）に、止め具３０、３１を差込み仮締める（尚、止め具３１は、止め具３０の締付けを開放した状態で、本体ベース１２の俯角調整ができる締付けがよい）。仮締めにより、少なくとも、図６に示した斜視図の状態であり、基台ベース１１に本体ベース１２が仮締される。この仮締め設置金具１０を、梁Ｈに取付けるには、図６に概要を図示した如く、第１、第２板部１１０２、１１０３の孔１６に、梁Ｈの下方を跨いだＵボルト１５の自由端を差込み、それぞれナット１８を螺子止めすることで、この設置金具１０（基台ベース１１）が、梁Ｈに固定される。
【００２７】
固定した本体ベース１２の俯角を調整するには、合致した孔に差込んだ止め具３０の締付け解除で、本体ベース１２を、止め具３０を支点とし、かつ止め具３１が長孔１４内を移動することで、俯角調整ができるので、止め具３０、及び／又は、必要により、止め具３１を締付ける（図６参照）。この俯角調整（仰角を含む）は、図８−１に示した如く、ファン１０２の水平軸芯Ｃを基準として、俯角７、５°、仰角７、５°程度とする。尚、俯角調整は、送風機１を、設置金具１０に取付けた状態で可能である。
【００２８】
梁Ｈに取付け、かつ俯角調整済みの設置金具１０に送風機１を取付けるには、送風機１を少なくとも、一人で支持し、第１ブラケット２と第２ブラケット５の係止孔２２、２３を、本体ベース１２（設置金具１０）の支持部１９に、係止するとともに、支持部１９にナット２１を緊締する。この緊締で、送風機１は、所定の俯角と回転位置で、ハウス内に支持される。また、図８−２に示すように、回転位置を変更（調整）するには、ナット２１の締付けを解除し、送風機１を支持部１９を中心として回転し、その回転位置でナット２１を締付け固定することで、この回転位置を、簡易かつワンタッチで固定できる。即ち、風の方向を変更できる。この変更範囲は、図示の如く、例えば、１５°程度とする。
【００２９】
以上の如く、俯角調整と、回転位置調整とを、それぞれ個別に行う一例と、また、同時に行う一例等が考えられる。この俯角調整と、回転位置調整とを、前述のように行うことで、ハウスの躯体／梁、又はビニールフィルム等が、地形に基づいて、真直ぐでない場合（蛇行、撓んでいること、又は変形している状況等）とか、経時的な要因で真直ぐでなった場合（蛇行、撓んだこと、又は変形した状況等）、その他ビニールフィルムの張りが良くない状況等の如く、ハウス特有な問題が生ずるような状況においても、本発明では、フアンの風を、ハウスの隅々まで送り、また、棟方向の遠くまで送れる特徴があり、さらに、生育の促進と維持、又は品質・収穫量向上等にも寄与できる。
【００３０】
そして、例えば、前述の如く、ハウス内の薬液散布、ハウスのビニールフィルムの張替え、或いは夏場のビニールフィルムの取外し等の作業時においては、送風機１を、一度、取外すが、その際には、一人で、送風機１を支持し、ナット２１を取外すが、設置金具１０は、梁Ｈに残したままで、送風機１のみを、簡易、かつワンタッチで取外しできる。この送風機１は、作業者が、一人で支持できる重さと、寸法である。
【００３１】
前述した如く、俯角調整は、前述の説明の如く、梁Ｈに取付けた俯角調整済み設置金具１０に、送風機１を取付ける一例と、また、梁Ｈにある設置金具１０に送風機１を取付けた状態において、この設置金具１０の俯角調整を行って調整する一例等があるが、限定されない。
【００３２】
以上で説明した各実施例は、好ましい一例を示したものであり、同様な効果と特徴を有する他の構造、手段は、本発明の範疇である。
【符号の説明】
【００３３】
１          送風機
１ａ        吹出側
１ｂ        吸込側
１００      ドラム（風胴）
１００ａ    ベルマウス
１０１      整流翼
１０２      ファン
１０３      ファンガード
１０４      モータ
２          第１ブラケット
２ａ        平坦部
３          止め具
５          第２ブラケット
５ａ        平坦部
６          止め具
１０        設置金具
１１        基台ベース
１１００    第１脚部
１１０１    第２脚部
１１０２    第１板部
１１０３    第２板部
１１０４    差渡し部
１２        本体ベース
１２００    平板本体
１２０１    第３脚部
１２０２    第４脚部
１３        孔
１４        長孔
１５        Ｕボルト
１６        孔
１７        孔
１８        ナット
１９        支持部
２１        ナット
２２        係止孔
２３        係止孔
３０        止め具
３１        止め具
Ｃ          軸心
Ｈ          梁
【図１】
2015040484.tif 000003
【図２−１】
2015040484.tif 000004
【図２−２】
2015040484.tif 000005
【図３】
2015040484.tif 000006
【図４】
2015040484.tif 000007
【図５−１】
2015040484.tif 000008
【図５−２】
2015040484.tif 000009
【図６】
2015040484.tif 000010
【図７】
2015040484.tif 000011
【図８−１】
2015040484.tif 000012
【図８−２】
2015040484.tif 000013